(57)【要約】【課題】効率のよい設備機器の監視を実現し、監視のためのコストを低く抑える。【解決手段】一つ以上の設備機器２００を管理する設備機器管理システム１であって、受付部１１１と、判断部１１２と、確認部１１３とを備える。受付部１１１は、設備機器２００の状態に関する不具合情報の入力を受け付ける。判断部１１２は、不具合情報に基づいて状態を確認すべき設備機器２００の構成部分を特定する。確認部１１３は、判断部１１２が特定した設備機器２００の構成部分の状態を確認する確認処理を行う。【選択図】図１
2012032949.tif 000002
【特許請求の範囲】
【請求項１】
一つ以上の設備機器（２００）を管理する設備機器管理システム（１）であって、
前記設備機器（２００）の状態に関する不具合情報の入力を受け付ける受付部（１１１）と、
前記不具合情報に基づいて状態を確認すべき前記設備機器（２００）の構成部分を特定する判断部（１１２）と、
前記判断部（１１２）が特定した前記設備機器（２００）の構成部分の状態を確認する確認処理を行う確認部（１１３）と、
を備える、
設備機器管理システム（１）。
【請求項２】
前記不具合情報は、前記設備機器（２００）の不具合に関する情報を含み、
前記確認処理は、前記設備機器（２００）の故障の予知をする処理である、
請求項１に記載の設備機器管理システム（１）。
【請求項３】
前記不具合情報と前記設備機器（２００）の構成部分とを関連付ける情報である第１テーブルを記憶する第１記憶部（１２１）、
をさらに備え、
前記判断部（１１２）は、前記第１テーブルを参照し、前記受付部（１１１）が受け付けた前記不具合情報に関連する前記設備機器（２００）の構成部分を特定し、
前記確認部（１１３）は、前記判断部（１１２）が特定した前記設備機器（２００）の構成部分に関する運転情報を参照して前記確認処理を行う、
請求項１又は２に記載の設備機器管理システム（１）。
【請求項４】
前記一つ以上の設備機器（２００）は、空調機（２００）を含み、
前記不具合情報は、調和空気の温度、水漏れ、匂い、および、操作に対する反応のうちの少なくとも一つに関する情報を含み、
前記運転情報は、サーミスタ、冷媒系統、排水系統、熱交換器、および、信号の伝送のうちの少なくとも一つに関する情報を含む、
請求項３に記載の設備機器管理システム（１）。
【請求項５】
情報を利用者に通知する通知部（１１５）、
をさらに備え、
前記通知部（１１５）は、
前記確認部（１１３）の前記確認処理の結果が問題ありである場合には前記不具合の原因についての情報を通知し、
前記確認部（１１３）の前記確認処理の結果が問題なしである場合には前記設備機器（２００）を適切に操作しているか否か確認するように利用者に促すメッセージを通知する、
請求項１から４のいずれかに記載の設備機器管理システム（１）。
【請求項６】
前記設備機器（２００）の保守を指示する保守指示を発する指示部（１１６）、
をさらに備え、
前記指示部（１１６）は、
前記確認部（１１３）の前記確認処理の結果が問題ありである場合には前記保守指示を発し、
前記確認部（１１３）の前記確認処理の結果が問題なしである場合には前記保守指示を発しない、
請求項１から５のいずれかに記載の設備機器管理システム（１）。
【請求項７】
前記一つ以上の設備機器（２００）の異常を検出する異常検出部（１１４）、
をさらに備える、
請求項１から６のいずれかに記載の設備機器管理システム（１）。
【発明の詳細な説明】
【技術分野】
【０００１】
本発明は、一つ以上の設備機器を管理する設備機器管理システムに関する。
【背景技術】
【０００２】
設備機器の運転の履歴データを用いて設備機器の状態の診断を行い故障予知を行う監視装置が、例えば、特許文献１（特開２００４―１３３５５３号公報）に提案されている。
【発明の概要】
【発明が解決しようとする課題】
【０００３】
ところで、設備機器の従来の故障予知は、設置されている設備機器の全ての履歴データを常時参照して状態の監視をしているため、監視装置にかかる負荷が高い。このため、監視装置は、高負荷に耐えられるような処理能力の高い装置でなければならない。このような装置は、高価であり、調達コストが高い。
【０００４】
本発明の課題は、効率のよい設備機器の監視を実現し、監視のためのコストを低く抑えることである。
【課題を解決するための手段】
【０００５】
本発明の第１観点に係る設備機器管理システムは、一つ以上の設備機器を管理する設備機器管理システムであって、受付部と、判断部と、確認部とを備える。受付部は、設備機器の状態に関する不具合情報の入力を受け付ける。判断部は、不具合情報に基づいて状態を確認すべき設備機器の構成部分を特定する。確認部は、判断部が特定した設備機器の構成部分の状態を確認する確認処理を行う。設備機器とは、例えば、空調機、給湯機、空気清浄機、あるいは、換気装置等である。
【０００６】
確認部による確認処理は、判断部により特定された確認すべき構成部分の状態について行われる。判断部による構成部分の特定は、受付部により受け付けられた不具合情報に基づいて行われる。したがって、確認処理は、不具合情報が受け付けられてから行われる。また、確認処理は、不具合情報に基づいて確認すべきと特定された設備機器の構成部分の状態について行われる。これにより、効率のよい設備機器の監視を実現でき、監視のためのコストを低く抑えることが可能である。
【０００７】
本発明の第２観点に係る設備機器管理システムは、第１観点に係る設備機器管理システムであって、不具合情報は、設備機器の不具合に関する情報を含んでいる。確認処理は、設備機器の故障の予知をする処理である。
【０００８】
設備機器の不具合に関する情報である不具合情報が受付部により受け付けられる。そして、設備機器の故障の予知をする確認処理が行われる。したがって、設備機器の不具合に関する情報が受け付けられてから確認処理により設備機器の故障の予知がおこなわれる。これにより、さらに効率のよい設備機器の監視を実現でき、さらに監視のためのコストを低く抑えることが可能である。
【０００９】
本発明の第３観点に係る設備機器管理システムは、第１観点又は第２観点に係る設備機器管理システムであって、第１記憶部をさらに備える。第１記憶部は、第１テーブルを記憶する。第１テーブルは、不具合情報と設備機器の構成部分とを関連付ける情報である。判断部は、第１テーブルを参照し、受付部が受け付けた不具合情報に関連する設備機器の構成部分を特定する。確認部は、判断部が特定した設備機器の構成部分に関する運転情報を参照して確認処理を行う。
【００１０】
第１記憶部には、不具合情報と設備機器の構成部分とを関連付ける情報である第１テーブルが記憶されている。判断部は、第１テーブルを参照することにより不具合情報に関連する設備機器の構成部分を特定する。そして、確認部は、判断部が特定した設備機器の構成部分に関する運転情報を参照して確認処理を行う。したがって、設備機器の運転情報のうち受け付けられた不具合情報に関係する情報のみを用いて状態の確認が行われる。これにより、さらに効率のよい設備機器の監視を実現でき、監視のためのコストをさらに低く抑えることが可能である。
【００１１】
本発明の第４観点に係る設備機器管理システムは、第３観点に係る設備機器管理システムであって、一つ以上の設備機器は、空調機を含む。不具合情報は、調和空気の温度、水漏れ、匂い、および、操作に対する反応、のうちの少なくとも一つに関する情報を含む。運転情報は、サーミスタ、冷媒系統、排水系統、熱交換器、および信号の伝送のうちの少なくとも一つに関する情報を含む。
【００１２】
一つ以上の設備機器が空調機の場合、受付部により受け付けられる不具合情報は、調和空気の温度に対する利用者の不満、あるいは、水漏れ、匂い、操作に対する反応が無い等、利用者が「故障かな？」と考えるであろう情報を含む。また、運転情報は、吸い込み温度等のサーミスタに関する情報、冷媒量等の冷媒系統に関する情報、ドレン配管水位等の排水系統に関する情報、熱交温度等の熱交換器に関する情報、あるいは、信号の伝送状態に関する情報等、空調機の詳細運転情報を含む。したがって、空調機についての不具合情報が受け付けられた場合、空調機の運転情報の中から当該不具合情報に関連する構成部分に関する情報が参照されて、状態の確認が行われる。これにより、効率のよい空調機の監視を実現でき、空調機の監視のためのコストを低く抑えることが可能である。
【００１３】
本発明の第５観点に係る設備機器管理システムは、第１観点から第４観点のいずれかに係る設備機器管理システムであって、情報を利用者に通知する通知部をさらに備える。通知部は、確認部の確認処理の結果が問題ありである場合には不具合の原因についての情報を通知する。確認部の確認処理の結果が問題なしである場合には設備機器を適切に操作しているか否か確認するように利用者に促すメッセージを通知する。
【００１４】
設備機器の状態についての確認処理の結果、問題ありである場合は、不具合の原因についての情報が利用者に通知される。また、確認処理の結果が、問題なしの場合は、設備機器を適切に操作しているか否か確認するように利用者に促すメッセージが利用者に通知される。したがって、利用者は、設備機器の不具合の原因を知ることができる。また、問題が発見されなかった場合には、利用者は、設備機器について適切な確認事項を知ることができるので、保守要員の手を介さずに自力で設備機器の操作が適切であったか等の確認ができる。これにより、さらに効率のよい設備機器の監視を実現でき、設備機器の監視のためのコストをさらに低く抑えることが可能である。
【００１５】
本発明の第６観点に係る設備機器管理システムは、第１観点から第５観点のいずれかに係る設備機器管理システムであって、指示部をさらに備える。指示部は、設備機器の保守を指示する保守指示を発する。指示部は、確認部の確認処理の結果が問題ありである場合には保守指示を発する。確認部の確認処理の結果が問題なしである場合には保守指示を発しない。
【００１６】
設備機器の状態についての確認処理の結果、問題ありである場合にのみ、設備機器の保守の指示が発せられる。したがって、問題が発見された場合は、保守要員は素早く設備機器の保守をすることができる。また、問題が発見されなかった場合は、保守要員の手が煩わされることがない。これにより、さらに効率のよい設備機器の監視を実現でき、設備機器の監視のためのコストをさらに低く抑えることが可能である。
【００１７】
本発明の第７観点に係る設備機器管理システムは、第１観点から第６観点のいずれかに係る設備機器管理システムであって、異常検出部をさらに備える。異常検出部は、一つ以上の設備機器の異常を検出する。
【００１８】
一つ以上の設備機器の異常の検出は、異常検出部により行われる。したがって、確認部の行う確認処理は、設備機器の異常を検出する処理とは別の処理である。すなわち、設備機器に異常が検出される前に、利用者からの不具合情報をきっかけにして、状態の確認を行うことが可能である。これにより、設備機器の故障を発生する前に発見することが可能である。
【発明の効果】
【００１９】
本発明の第１観点に係る設備機器管理システムでは、効率のよい設備機器の監視を実現でき、監視のためのコストを低く抑えることが可能である。
【００２０】
本発明の第２観点又は第３観点に係る設備機器管理システムでは、さらに効率のよい設備機器の監視を実現でき、監視のためのコストをさらに低く抑えることが可能である。
【００２１】
本発明の第４観点に係る設備機器管理システムでは、効率のよい空調機の監視を実現でき、空調機の監視のためのコストを低く抑えることが可能である。
【００２２】
本発明の第５観点又は第６観点に係る設備機器管理システムでは、さらに効率のよい設備機器の監視を実現でき、設備機器の監視のためのコストをさらに低く抑えることが可能である。
【００２３】
本発明の第７観点に係る設備機器管理システムでは、設備機器の故障を発生する前に発見することが可能である。
【図面の簡単な説明】
【００２４】
【図１】本発明の実施形態に係る設備機器管理システムの概略ブロック図。
【図２】本発明の実施形態に係る設備機器管理システムの故障予知処理フロー図。
【図３】本発明の実施形態に係る設備機器管理システムの不具合情報入力画面例。
【図４】本発明の実施形態に係る不具合情報と設備機器構成分との対応関係情報例。
【図５】本発明の実施形態に係る不具合情報と設備機器構成分との対応関係情報例。
【図６】本発明の実施形態に係る設備機器管理システムの不具合情報入力画面例。
【発明を実施するための形態】
【００２５】
＜第１実施形態＞
（１）全体構成
本発明に係る設備機器管理システム１の本実施形態における全体構成について図１を用いて説明する。本実施形態においては、本発明に係る設備機器管理システム１は、建物７０１内に設置されている複数の空調機２００を監視する。設備機器管理システム１は、遠隔監視センタ７０２に設置されているコンピュータであるサーバ１００、および、サーバ１００とアダプタ３００とを接続するインターネット等のネットワーク５０１により構成されている。空調機２００は、アダプタ３００を介してインターネット等のネットワークに接続されている。アダプタ３００は、空調機２００をＴＣＰ／ＩＰプロトコルを用いてインターネット等のネットワークに接続するための装置である。建物７０１内には、利用者が使用するパーソナルコンピュータ等の利用者用端末４０１も設置されている。利用者は、利用者用端末４０１からインターネット等のネットワーク５０１を介してサーバ１００に接続する。また、設備機器の保守要員のいるサービスセンタ７０３には、保守要員が使用するパーソナルコンピュータ等の保守要員用端末４０２が設置されており、インターネット等のネットワーク５０１を介してサーバ１００に接続されている。
【００２６】
複数の空調機２００とサーバ１００とは、アダプタ３００を経由して各種の情報を送受信する。サーバ１００からは、各空調機２００に対して制御指示および運転情報送信指示、等の指示が送信される。各空調機２００からは、空調機２００の運転に関する運転情報、および、室内温度等の各空調機２００の周辺の環境に関する環境情報がサーバ１００へ送信される。複数の空調機２００それぞれには、ＩＰアドレス等、自身を識別するための識別情報が割り振られており、当該識別情報はアダプタ３００が保有している。各空調機２００からの各種の情報がアダプタ３００を経由してサーバ１００へ送信されるときには、当該識別情報が送信元として付加されて送信される。サーバ１００は、当該識別情報を空調機２００へ情報を送信する際の宛先として使用する。サーバ１００は、各空調機２００の識別情報を記憶している。
【００２７】
利用者は、利用者用端末４０１からインターネット等のネットワーク５０１を介してサーバ１００へ接続し、各空調機２００の運転状態および室内温度等の情報を取得することが可能である。また、利用者は、利用者用端末４０１から各空調機２００に対する起動、停止、設定温度の変更、および、運転の種類の変更、等の制御指示を入力し、サーバ１００に送信することが可能である。
【００２８】
（２）詳細構成
サーバ１００は、ＣＰＵからなる制御部１１０、ＲＡＭ、ＲＯＭおよびハードディスクからなる記憶部１２０、および、ネットワークインターフェースカードからなる通信部１３０を有するコンピュータである。制御部１１０は、受付部１１１、判断部１１２、確認部１１３、異常検出部１１４、通知部１１５、および、指示部１１６を有する。制御部１１０は、記憶部１２０に格納されているサーバ１００の制御用プログラムを実行することにより、これらの各部を有するようになる。
【００２９】
受付部１１１は、ＨＴＴＰプロトコルを用いてサーバ１００とネットワーク５０１を介して接続している利用者用端末４０１等の端末との間で情報を送受信するＨＴＴＰサーバである。受付部１１１は、空調機２００の状態に関する不具合情報の入力を利用者用端末４０１から受け付ける。不具合情報は、空調機２００の不具合に関する情報である。不具合情報は、調和空気の温度、水漏れ、匂い、音、および、操作に対する反応、のうちの少なくとも一つに関する情報を含んでいる。すなわち、不具合情報は、調和空気の温度に対する利用者の不満、あるいは、水漏れ、匂い、異音、操作に対する反応が無い等、利用者が「故障かな？」と考えるであろう情報を含んでいる。
【００３０】
判断部１１２は、不具合情報に基づいて状態を確認すべき空調機２００の構成部分を特定する。
【００３１】
確認部１１３は、判断部１１２が特定した空調機２００の構成部分の状態を確認する確認処理を行う。確認処理は、空調機２００の故障の予知をする処理である。確認部１１３は、判断部１１２が特定した空調機２００の構成部分に関する運転情報を参照して確認処理を行う。運転情報は、空調機２００の運転に関する情報である。運転情報は、サーミスタ、冷媒系統、排水系統、熱交換器、および、信号の伝送、のうちの少なくとも一つに関する情報を含んでいる。すなわち、運転情報は、吸い込み温度、冷媒量、熱交温度、信号の伝送状態等、空調機の詳細運転情報を含んでいる。
【００３２】
異常検出部１１４は、空調機２００の異常を検出する。
【００３３】
通知部１１５は、空調機２００の状態の確認結果等の情報を利用者に通知する。
【００３４】
指示部１１６は、空調機２００の保守を指示するメッセージを保守要員に向けて発する。
【００３５】
記憶部１２０は、不具合情報と空調機２００の構成部分とを関連付ける情報である第１テーブルを格納するデータベース１２１ａを記憶する第１記憶部１２１を有する。第１テーブルには、図４に示すように不具合情報と空調機２００の構成部分とが関連付けて登録されているほか、分析すべき運転情報、不具合の原因、および、確認処理の結果が問題ありの場合の必要な保守対応に関する情報がそれぞれに関連付けて登録されている。このほか、記憶部１２０には、利用者に関する情報を格納した利用者情報テーブル、保守要員に関する情報を格納した保守要員情報テーブル、および、空調機２００の異常コードに関する情報である異常コード情報テーブルが記憶されている。当該利用者情報テーブルには、利用者の名称、利用者のＩＤ、パスワード、利用者のＥメールアドレス、当該利用者が使用している建物７０１、当該建物７０１に設置されている空調機２００を識別するためのＩＰアドレス等の識別情報、当該空調機の名称、当該空調機の型式、および、当該建物内における空調機２００の設置場所の情報等が登録されている。保守要員情報テーブルには、保守要員のメールアドレスの情報等が登録されている。当該異常コード情報テーブルには、異常コード、当該異常コードに対応する異常の種類、および、当該異常に対する必要な保守対応の情報等が登録されている。
【００３６】
通信部１３０は、サーバ１００からネットワーク５０１へ情報を送信したり、ネットワーク５０１からサーバ１００に来る情報を受信する。以下、サーバ１００と利用者用端末４０１、保守要員用端末４０２、あるいは、アダプタ３００との間の情報の送受信は、全てネットワーク５０１およびサーバ１００の通信部１３０を介して行われる。また、サーバ１００と複数の空調機２００それぞれとの間の情報の送受信は、全てアダプタ３００、ネットワーク５０１、および、サーバ１００の通信部１３０を介して行われる。
【００３７】
（３）診断処理
（３−１）処理開始イベント
診断処理は、利用者からの空調機２００の不具合に関する不具合情報が受付けられると開始する。利用者は、パーソナルコンピュータ等の利用者用端末４０１からサーバ１００に接続し、ＨＴＭＬ等で作成された図３に示すような入力フォーム８００の閲覧を要求する命令をサーバ１００に送信する。サーバ１００の受付部１１１は、当該命令を受け取ると、利用者のＩＤとパスワードの入力を要求するフォームの情報を利用者用端末４０１へ送信する。利用者は、当該フォームにＩＤとパスワードを入力してこれらの情報をサーバ１００へ送信する。受付部１１１は、記憶部１２０に記憶されている利用者情報テーブルを参照し、当該ＩＤとパスワードが正しいことを確認すると、受付部１１１は、利用者情報テーブルに登録されている当該利用者の建物７０１に設置されている全ての空調機２００の情報とともに入力フォーム８００の情報を利用者用端末４０１へ送信する。すると、利用者用端末４０１の液晶ディスプレイ等の表示部には、図３のような入力フォーム８００が表示される。当該利用者の建物７０１に設置されている全ての空調機２００の情報は、入力フォーム８００の設備機器一覧８０３に表示される。利用者は、設備機器一覧８０３から一つ以上の空調機２００を選び、入力欄８０１に不具合情報を入力する。入力される不具合情報は、「冷えない」あるいは、「暖まらない」等の文字列である。不具合情報を入力後、利用者が送信ボタン８０２を押すと不具合情報および選択された空調機２００を識別する情報とともに入力フォーム８００がサーバ１００に送信され、受付部１１１は、当該不具合情報を受信する。
【００３８】
（３−２）処理フロー
診断処理の流れについて図２を用いて以下に説明する。
【００３９】
ステップＳ１０１では、判断部１１２は、不具合情報に基づいて状態を確認すべき空調機２００の構成部分を特定する。判断部１１２は、図４に示すような不具合情報と空調機２００の構成部分とを関連付ける情報である第１テーブルを格納する第１記憶部１２１にあるデータベース１２１ａを用いて受付部１１１が受け付けた不具合情報に関連する空調機２００の構成部分を検索する。当該不具合情報に関連するレコードが見つかると、データベース１２１ａは、当該レコードに格納されている空調機２００の構成部分を識別する文字列を検索結果として返す。例えば、不具合情報が、「冷えない」又は「暖まらない」という内容の情報であれば、図４に示されている通りサーミスタ又は冷媒系統に関連するから、これらの構成部分の状態を確認する必要がある。なお、複数のレコードがデータベース１２１ａにより返された場合は、次のステップＳ１０２およびステップＳ１０３は、各レコードにつき行われる。
【００４０】
ステップＳ１０２では、確認部１１３は、利用者により不具合があるとされている空調機２００のステップＳ１０１で特定された構成部分に関する運転情報を取得する。確認部１１３は、当該空調機２００の当該構成部分に関する運転情報を送信するように要求する命令をアダプタ３００へ送信する。アダプタ３００は、当該空調機２００から取得した当該構成部分に関する運転情報をサーバ１００へ送信する。当該運転情報は、通信部１３０を介して受信され、記憶部１２０に記憶される。
【００４１】
ステップＳ１０３では、確認部１１３は、ステップＳ１０２にて取得した当該空調機２００の当該構成部分に関する運転情報を分析する。確認部１１３は、記憶部１２０に記憶されている当該運転情報を参照し、当該情報の中に故障の予兆といえるような情報がないか確認する。故障の予兆の例については、後ほど「（３−３）故障予知例」にて説明する。
【００４２】
ステップＳ１０４では、確認部１１３によるステップＳ１０２およびＳ１０３での確認処理の結果に基づいて、次に実行される処理が決定される。もし、当該確認処理の結果、故障の予兆がある、すなわち、問題ありと判定された場合は、処理はステップＳ１０５へ進む。それ以外、すなわち、問題なしの場合は、処理は、Ｓ１０７へ進む。
【００４３】
ステップＳ１０５では、通知部１１５は、確認部１１３によるステップＳ１０３の確認処理の結果の情報を利用者に通知する。具体的には、通知部１１５は、不具合の原因等、確認処理の結果の情報を利用者に知らせるメッセージを生成し、Ｅメールとして、記憶部１２０の利用者情報テーブルに登録されている利用者のＥメールアドレスに通信部１３０を介して送信する。不具合の原因は、第１記憶部１２１のデータベース１２１ａに格納されている図４に示すような第１テーブルを参照することにより特定される。
【００４４】
ステップＳ１０６では、指示部１１６は、空調機２００の保守を指示するメッセージを保守要員に向けて発する。具体的には、指示部１１６は、第１記憶部１２１の第１テーブルおよび記憶部１２０の利用者情報テーブルを参照し、不具合の原因等の確認処理の結果の情報、利用者、当該空調機２００の設置場所、当該空調機２００の型式、および、修理あるいは部品交換等の必要な保守対応の指示を特定し、これらの情報を含むメッセージを生成する。当該メッセージは、Ｅメールとして、記憶部１２０の保守要員情報テーブルに登録されている一人以上のサービス要員のＥメールアドレスに通信部１３０を介して送信される。
【００４５】
ステップＳ１０７では、通知部１１５は、確認部１１３によるステップＳ１０３の確認処理の結果の情報および空調機２００を適切に操作しているか否かを確認するように利用者に促すメッセージ等を利用者に通知する。具体的には、通知部１１５は、利用者に確認処理の結果、問題が無かった旨を知らせるメッセージを生成する。また、第１記憶部１２１に格納されているデータベース１２１ａには、不具合情報と利用者に確認を促すべき事項とを関連付けた図５に示すような情報も格納されており、当該不具合情報に基づいて当該データベース１２１ａが検索される。当該不具合情報に対応する確認事項が見つかると、当該メッセージには、当該確認事項を確認するように利用者に促すメッセージも含まれる。当該メッセージは、Ｅメールとして、記憶部１２０の利用者情報テーブルに登録されている利用者のＥメールアドレスに通信部１３０を介して送信される。
【００４６】
（３−３）故障予知例
以下に故障の予兆の発見についての例を説明する。確認部１１３は、図４に示されているような第１テーブルを参照することにより、不具合情報に基づいて、状態を確認すべき空調機２００の構成部分および分析すべき当該構成部分に関する情報を特定し、以下のように故障の予兆の有無を判断する。また、故障の予兆が見つかれば、すなわち、問題ありであれば、とるべき保守対応は、第１テーブルが参照されることにより特定される。
【００４７】
（３−３−１）不具合情報：冷えない（分析対象の例：サーミスタ系異常）
空調機２００のサーミスタの状態を確認する場合には、確認部１１３は、例えば、吸い込み温度に関する情報を取得する。この温度が、実際の室温と同等の数値でなければ、吸い込み温度センサに故障の予兆があると判定される。この場合、例えば、吸い込み温度センサの交換等の保守対応がステップＳ１０６において保守要員に指示される。
【００４８】
（３−３−２）不具合情報：冷えない（分析対象の例：冷媒量）
空調機２００の冷媒系統の状態を確認する場合には、確認部１１３は、例えば、冷媒配管内を循環する冷媒の量に関する情報を取得し、分析する。冷媒量の数値が、正常とされる所定の範囲の数値でなければ、故障の予兆があると判定される。この場合、例えば、冷媒の充填等の保守対応がステップＳ１０６において保守要員に指示される。
【００４９】
（３−３−３）不具合情報：水漏れがする（分析対象の例：排水系統異常）
空調機２００の排水系統の状態を確認する場合には、確認部１１３は、例えば、ドレン配管内の水位に関する情報を取得し、分析する。水位の数値が、正常とされる所定の範囲の数値でなければ、故障の予兆があると判定される。この場合、例えば、ドレン配管の清掃等の保守対応がステップＳ１０６において保守要員に指示される。
【００５０】
（３−３−４）不具合情報：カビ臭い（分析対象の例：熱交温度異常）
空調機２００の熱交換器の状態を確認する場合には、確認部１１３は、例えば、熱交温度に関する情報を取得し、分析する。熱交温度の数値が、正常とされる所定の範囲の数値でなければ、故障の予兆があると判定される。この場合、例えば、熱交換器の清掃等の保守対応がステップＳ１０６において保守要員に指示される。
【００５１】
（３−３−５）不具合情報：リモコンを操作しても動作しない（分析対象の例：信号の伝送状態）
空調機２００の信号の伝送の状態を確認する場合には、確認部１１３は、例えば、信号の伝送状態に関する履歴情報を取得し、分析する。信号が伝送されなかったことがあったことを示す情報（例えば、信号の送信先からの応答待ちがタイムアウトになった等の情報）が履歴に残っていれば、故障の予兆があると判定される。この場合、例えば、リモコン主従スイッチの確認等の保守対応がステップＳ１０６において保守要員に指示される。
【００５２】
（４）異常検出処理
本発明にかかる設備機器管理システム１は、前述の故障予知処理とは別に異常検出処理を行う。
【００５３】
空調機２００は、異常が起こると異常信号を発信する。当該異常信号をアダプタ３００を介してサーバ１００の通信部１３０が受信すると、異常検出部１１４は、記憶部１２０に記憶されている異常コード情報テーブルを参照し、異常信号に含まれている異常コードに基づいて異常の種類および必要な保守対応を特定する。通知部１１５は、異常の発生、その種類、および、異常が発生した空調機２００等を利用者に知らせるメッセージを生成し、当該メッセージをＥメールとして利用者のＥメールアドレスに向けて通信部１３０を介して送信する。異常が発生した空調機２００は、アダプタ３００から異常信号とともに送信される当該空調機２００の識別情報により特定される。当該空調機２００の設置場所、利用者、および、当該利用者のＥメールアドレスは、当該空調機２００の識別情報に基づいて記憶部１２０に記憶されている利用者情報テーブルを検索することにより特定される。利用者は、利用者用端末４０１等からＥメールアカウントにアクセスして当該メッセージを読むことができる。
【００５４】
また、指示部１１６は、保守要員に異常の発生を知らせ、空調機２００の保守を指示するメッセージを保守要員に対して送信する。指示部１１６は、異常の種類、異常が発生した空調機２００、および、必要な保守対応を知らせるメッセージを生成する。また、指示部１１６は、記憶部１２０に記憶されている利用者情報テーブルを参照し、当該メッセージに、当該空調機２００の型式、当該空調機２００の設置場所、および、利用者等の情報を含める。当該メッセージは、Ｅメールとして記憶部１２０の保守要員情報テーブルに登録されている一人以上の保守要員のＥメールアドレスに向けて通信部１３０を介して送信される。保守要員は、保守要員用端末４０２等からＥメールアカウントにアクセスして当該メッセージを読むことができる。
【００５５】
（５）特徴
（５−１）
上記実施形態では、設備機器管理システム１は、複数の空調機２００を監視し、当該空調機２００の故障の予知をする。利用者は、空調機２００について不具合があると疑うと不具合情報を端末４０１から入力する。当該不具合情報は、インターネット等のネットワーク５０１を介して受付部１１１により受け付けられる。判断部１１２は、当該不具合情報に基づいて状態を確認すべき当該空調機２００の構成部分を特定する。確認部１１３は、当該構成部分の状態を確認する確認処理を行う。したがって、確認部１１３は、空調機２００の状態の確認を不具合情報が受付部１１１により受け付けられた場合に行う。また、状態の確認は、当該不具合情報に基づいて判断部１１２により特定された空調機２００の構成部分について行う。したがって、確認処理のためにサーバ１００にかかる負荷は最小限に抑えられる。これにより、効率のよい設備機器の監視を実現できており、監視のためのコストを低く抑えることが可能になっている。
【００５６】
（５−２）
上記実施形態では、不具合情報は、空調機２００の不具合に関する情報を含む。確認部１１３の行う空調機２００の構成部分の状態を確認する確認処理は、空調機２００の故障の予知をする処理である。したがって、空調機２００の不具合に関する情報が受け付けられてから確認処理により空調機２００の故障の予知がおこなわれる。これにより、さらに効率のよい設備機器の監視を実現できており、さらに監視のためのコストを低く抑えることが可能になっている。
【００５７】
（５−３）
上記実施形態では、判断部１１２は、第１記憶部に格納されている不具合情報と空調機２００の構成部分とを関連付ける情報である第１テーブルを格納するデータベース１２１ａを用いて当該不具合情報に関連する空調機２００の構成部分を検索する。このように判断部１１２により状態を確認すべき空調機２００の構成部分が特定されると、確認部１１３は、当該構成部分に関する運転情報を参照して確認処理を行う。したがって、設備機器の運転情報のうち受け付けられた不具合情報に関係しそうな構成部分に関する情報のみが送信され、設備機器の状態の確認が行われる。したがって、通信コストは最小限に抑えられる。また、サーバ１００の負荷も最小限に抑えられる。これにより、さらに効率のよい設備機器の監視を実現できており、さらに監視のためのコストを低く抑えることが可能になっている。
【００５８】
（５−４）
上記実施形態では、設備機器管理システム１は、複数の空調機２００を監視し、当該空調機２００の故障の予知をする。不具合情報は、調和空気の温度、水漏れ、匂い、音、および、操作に対する反応、のうちの少なくとも一つに関する情報を含む。すなわち、不具合情報は、調和空気の温度に対する利用者の不満、あるいは、水漏れ、匂い、異音、操作に対する反応が無い等、利用者が「故障かな？」と考えるであろう情報を含む。運転情報は、サーミスタ、冷媒系統、排水系統、熱交換器、および、信号の伝送、のうちの少なくとも一つに関する情報を含む。すなわち、運転情報は、吸い込み温度、冷媒量、熱交温度、信号の伝送状態等、空調機の詳細運転情報を含む。したがって、空調機２００についての不具合情報が受け付けられた場合、空調機２００の各構成部分に関する運転情報の中から当該不具合情報に関連する構成部分に関する情報が参照されて、状態の確認が行われる。これにより、効率のよい空調機２００の監視を実現できており、空調機２００の監視のためのコストを低く抑えることが可能になっている。
【００５９】
（５−５）
上記実施形態では、確認部１１３による確認処理の結果、故障の予兆が発見された場合は、通知部１１５は、利用者に不具合の原因等、確認処理の結果の情報を知らせるメッセージを生成し、Ｅメールとして、利用者のＥメールアドレスに通信部１３０を介して送信する。確認処理の結果、故障の予兆が発見されなかった場合は、通知部１１５は、利用者に確認処理の結果問題が無かった旨を知らせるメッセージを生成する。また、憶部１２０に格納されている不具合情報と利用者に確認を促すべき事項とを関連付けた情報を格納するデータベース１２１ａが検索される。当該不具合情報に対応する確認事項が見つかると、当該メッセージには、当該確認事項を確認するように利用者に促すメッセージも含まれる。当該メッセージは、Ｅメールとして、利用者のＥメールアドレスに通信部１３０を介して送信される。
【００６０】
したがって、利用者は、空調機２００の不具合の原因を知ることができる。また、問題が発見されなかった場合には、利用者は、空調機２００について適切な確認事項を知ることができるので、保守要員の手を介さずに自力で空調機２００の操作が適切であったか等の確認ができる。これにより、さらに効率のよい設備機器の監視を実現できており、設備機器の監視のためのコストをさらに低く抑えることが可能になっている。
【００６１】
（５−６）
上記実施形態では、確認部１１３による確認処理の結果、故障の予兆が発見された場合は、指示部１１６は、不具合の原因等、確認処理の結果の情報、および、必要な保守対応、等を含むメッセージを生成し、Ｅメールとして、サービス要員のＥメールアドレスに通信部１３０を介して送信する。それ以外の場合は、指示部１１６は、保守指示を発しない。したがって、問題が発見された場合は、保守要員は素早く設備機器の保守をすることができる。また、問題が発見されなかった場合は、保守要員の手が煩わされることがない。これにより、さらに効率のよい設備機器の監視を実現できており、設備機器の監視のためのコストをさらに低く抑えることが可能になっている。
【００６２】
（５−７）
上記実施形態では、空調機２００は、異常が起こると異常信号を発信する。当該異常信号をアダプタ３００を介してサーバ１００の通信部１３０が受信すると、異常検出部１１４は、異常信号に含まれている異常コードに基づいて異常の種類を識別する。したがって、確認部１１３の行う確認処理は、設備機器の故障を予知するためのものであって、設備機器の異常を検出する処理ではない。すなわち、設備機器に異常が検出される前に、利用者からの不具合情報をきっかけにして、状態の確認を行うことが可能である。これにより、設備機器の故障を発生する前に発見することが可能になっている。
【００６３】
（６）変形例
（６−１）変形例１Ａ  他の設備機器
上記の実施形態においては、本発明にかかる設備機器管理システム１は、複数の空調機２００を監視している。しかし、他の実施形態においては、本発明にかかる設備機器管理システム１は、一つ以上の給湯機、一つ以上の空気清浄機、あるいは、一つ以上の換気装置を監視しても良い。
【００６４】
（６−２）変形例１Ｂ
上記の実施形態においては、本発明にかかる設備機器管理システム１を構成するサーバ１００は、受付部１１１、判断部１１２、確認部１１３、異常検出部１１４、通知部１１５、指示部１１６、および、第１記憶部１２１の全てを有している。しかし、他の実施形態においては、これらの各部は、複数のコンピュータ等の機器に分散して配置されてもよい。例えば、第１記憶部１２１は、サーバ１００とは別のコンピュータであるデータベースサーバの有する記憶装置に配置されてもよい。この場合、サーバ１００とデータベースサーバとは、ＬＡＮ（ローカルエリアネットワーク）等のネットワークを介して接続される。また、例えば、受付部１１１は、サーバ１００とは別のコンピュータであるウェブサーバのＣＰＵにより構成される制御部に配置しても良い。この場合、サーバ１００とウェブサーバとは、ＬＡＮ（ローカルエリアネットワーク）等のネットワークを介して接続され、ウェブサーバは、インターネット等のネットワーク５０１により利用者用端末４０１等と接続される。
【００６５】
（６−３）変形例１Ｃ
上記の実施形態においては、「（３−２）処理フロー」のステップＳ１０６において指示部１１６は、空調機２００の保守を指示するメッセージを一人以上の保守要員に向けて発している。この場合、他の実施形態においては、当該一人以上の保守要員は、複数の保守要員であって、それぞれ空調機２００を販売した販売店およびサービスセンタ等、異なる会社等の組織に属する者であってもよい。
【００６６】
（６−４）変形例１Ｄ
上記の実施形態においては、「（３−１）処理開始イベント」において利用者は、図３に図示するような入力フォーム８００を使用して不具合情報を入力している。しかし、他の実施形態においては、利用者は、図６に図示するような入力フォーム８１０を使用して不具合情報を入力してもよい。この場合、利用者は、入力フォーム８１０の設備機器一覧８１３の不具合情報入力欄８１１において、不具合に関する所定の文字列のリストの中から一つの文字列を選択することにより不具合情報を入力しても良い。
【００６７】
上述した本発明の実施形態はいずれも例示であって本発明の範囲を制限するものではない。
【産業上の利用可能性】
【００６８】
本発明は、一つ以上の設備機器の監視、特に、故障予知のための監視、に利用可能である。
【符号の説明】
【００６９】
１ 設備機器管理システム
１００ サーバ
１１１ 受付部
１１２ 判断部
１１３ 確認部
１１４ 異常検出部
１１５ 通知部
１１６ 指示部
１２１ 第１記憶部
２００ 空調機（設備機器）
５０１ ネットワーク
４０１ 利用者用端末
４０２ 保守要員用端末
【先行技術文献】
【特許文献】
【００７０】
【特許文献１】特開２００４―１３３５５３号公報
【図１】
2012032949.tif 000003
【図２】
2012032949.tif 000004
【図３】
2012032949.tif 000005
【図４】
2012032949.tif 000006
【図５】
2012032949.tif 000007
【図６】
2012032949.tif 000008